(57)【要約】【課題】ケーブルおよび端子に与えるストレスを低減するとともに、設置作業を容易に行うことができるディスプレイ装置を提供することを目的とする。【解決手段】ディスプレイ装置１は、外部のケーブルと接続されるディスプレイ装置である。さらにディスプレイ装置１は、ケーブルと接続される端子である入力端子１８と、ディスプレイ装置１の側面または背面に配置され、かつ、ディスプレイ装置１の側面または背面に沿って入力端子１８の向きまたは位置を変更可能な変更部材１０とを備えている。【選択図】図１
2015004832.tif 000002
【特許請求の範囲】
【請求項１】
外部のケーブルと接続されるディスプレイ装置であって、
前記ケーブルと接続される端子と、
前記ディスプレイ装置の側面または背面に配置され、かつ、前記ディスプレイ装置の側面または背面に沿って前記端子の向きまたは位置を変更可能な変更部材と、
を備えた、ディスプレイ装置。
【請求項２】
前記変更部材は、前記ディスプレイ装置の背面に固定された固定部と、前記端子が取り付けられかつ前記固定部に対して回転可能に構成された回転部とを備えた、請求項１記載のディスプレイ装置。
【請求項３】
前記固定部は、環状のガイド溝を備え、
前記回転部は、前記ガイド溝に挿入され、かつ、前記ガイド溝に沿って移動可能に形成された突起を備え、
前記回転部が予め設定された角度以上回転しないように、前記ガイド溝に前記突起と当接可能な当接部が形成された、請求項２記載のディスプレイ装置。
【請求項４】
前記変更部材は、前記ディスプレイ装置の側面または背面に配置されたガイド部と、前記端子が取り付けられかつ前記ガイド部に沿ってスライド可能に構成されたスライド部とを備えた、請求項１記載のディスプレイ装置。
【発明の詳細な説明】
【技術分野】
【０００１】
本発明は、外部のケーブルをディスプレイ装置に接続するための端子構造に関するものである。
【背景技術】
【０００２】
通常、液晶ディスプレイ装置などのディスプレイ装置は、台に固定されたり天井から吊るされたりするなどの方法で設置されて使用される。設置されたディスプレイ装置に対して、電力を供給したり音声および映像の信号を入力したりする必要がある。このため、ディスプレイ装置は、電源、音声信号および映像信号を入力するための入力端子を複数備えており、外部の電源ケーブルおよび信号ケーブルがそれぞれ入力端子に接続される。また、特許文献１，２には、端子が配置されたハウジング部分を切り離して立ち上げ可能とした端子構造が開示されている。
【先行技術文献】
【特許文献】
【０００３】
【特許文献１】特開平９−２２３５３７号公報
【特許文献２】特開平９−２２３５４９号公報
【発明の概要】
【発明が解決しようとする課題】
【０００４】
しかしながら、従来のディスプレイ装置では、入力端子の位置および入力端子の向きは固定されていた。また、入力端子の向きを選択できたとしても、選択できる向きが限定されていた。さらに、特許文献１，２に記載の端子構造においても、ハウジング部分を開放して電子部品の実装、取替えを容易に行えるようにしたものであり、端子の向きを自在に変更できるものではない。
【０００５】
壁などに形成された取り出し口から延びるケーブルと、ディスプレイ装置に設けられた入力端子は、必ずしも最短距離にはない。このため、ケーブルをディスプレイ装置の入力端子に接続する際、ディスプレイ装置、またはディスプレイ装置を設置する際に用いられる取り付け具の周りにケーブルを回り込ませたり、ケーブルを折り曲げたりする必要があり、ケーブルおよび入力端子などにストレスを与えるだけでなく、ディスプレイ装置の設置作業が難しいなどの問題があった。
【０００６】
そこで、本発明は、ケーブルおよび端子に与えるストレスを低減するとともに、設置作業を容易に行うことができるディスプレイ装置を提供することを目的とする。
【課題を解決するための手段】
【０００７】
本発明に係るディスプレイ装置は、外部のケーブルと接続されるディスプレイ装置であって、前記ケーブルと接続される端子と、前記ディスプレイ装置の側面または背面に配置され、かつ、前記ディスプレイ装置の側面または背面に沿って前記端子の向きまたは位置を変更可能な変更部材とを備えたものである。
【発明の効果】
【０００８】
本発明によれば、ディスプレイ装置は、ケーブルと接続される端子と、ディスプレイ装置の側面または背面に配置され、かつ、ディスプレイ装置の側面または背面に沿って端子の向きまたは位置を変更可能な変更部材とを備えた。
【０００９】
したがって、外部のケーブルに対して最短距離となるように、変更部材を用いてディスプレイ装置の側面または背面に沿って端子の向きまたは位置を変更することができる。これにより、ディスプレイ装置または取り付け具の周りにケーブルを回り込ませたり、ケーブルを折り曲げたりする必要がないため、ケーブルおよび端子に与えるストレスを低減することができる。また、ディスプレイ装置または取り付け具の周りにケーブルを回り込ませたり、ケーブルを折り曲げたりする必要がないため、ディスプレイ装置の設置作業を容易に行うことが可能となる。
【図面の簡単な説明】
【００１０】
【図１】（ａ）実施の形態１に係るディスプレイ装置の変更部材の分解正面図である。（ｂ）実施の形態１に係るディスプレイ装置の変更部材の正面図である。
【図２】実施の形態１に係るディスプレイ装置の背面図である。
【図３】実施の形態２に係るディスプレイ装置のスライド部周辺の側面図である。
【図４】実施の形態２に係るディスプレイ装置の背面図である。
【図５】実施の形態２に係るディスプレイ装置のガイド部とスライド部を説明するための図である。
【図６】前提技術に係るディスプレイ装置の背面図である。
【発明を実施するための形態】
【００１１】
＜前提技術＞
最初に、前提技術に係るディスプレイ装置１００について説明する。図６は、前提技術に係るディスプレイ装置１００の背面図である。ディスプレイ装置１００は、例えば液晶ディスプレイ装置であり、ディスプレイ装置１００の背面には、電源、音声信号および映像信号を入力するための入力端子５４，５５が設けられている。ディスプレイ装置１００は、天井から吊るしたり、床に置いたり、壁面に掛けたりするなどの方法で設置されている。
【００１２】
ディスプレイ装置１００に電源、音声信号および映像信号を入力するために、入力端子５４，５５に、外部のケーブル５１，５２を接続する必要があるが、通常、ケーブル５１，５２は、天井５０、壁または最寄りの機材から引き出されてディスプレイ装置１００に接続される。ここで、図６においては、ケーブル５１は天井、ケーブル５２は壁からそれぞれ引き出されている。
【００１３】
しかし、入力端子５４，５５におけるケーブル５１，５２の差し込み方向と、ケーブル５１，５２の引き出し口の位置との関係で、ケーブル５１，５２が入力端子５４，５５に対して直線状に配線されない場合があった。すなわち、ケーブル５１，５２が入力端子５４，５５の周辺で折れ曲がったりしてケーブル５１，５２および入力端子５４，５５などにストレスを与えるだけでなく、ケーブル５１，５２の線長が長くなる場合があった。
【００１４】
また、ディスプレイ装置１００を天井から吊り下げたり、壁面に設置する場合に、ディスプレイ装置１００と壁面との隙間が狭いときは、ケーブル５１，５２の挿抜を容易に行うことができず、大掛かりな工事が伴ったり、または構造上接続できない場合があった。
【００１５】
本発明は、上記の問題を解決するためになされたものであり、以下に詳細に説明する。
【００１６】
＜実施の形態１＞
本発明の実施の形態１について、図面を用いて以下に説明する。図１（ａ）は、実施の形態１に係るディスプレイ装置１の変更部材１０の分解正面図であり、図１（ｂ）は、実施の形態１に係るディスプレイ装置１の変更部材１０の正面図であり、図２は、実施の形態１に係るディスプレイ装置１の背面図である。
【００１７】
図１と図２に示すように、ディスプレイ装置１は、例えば液晶ディスプレイ装置であり、１つまたは複数の入力端子１８（端子）と、変更部材１０とを備えている。変更部材１０は、ディスプレイ装置１の背面に配置され、ディスプレイ装置１の背面に固定される固定部１１と、固定部１１に対して回転可能な回転部１６とを備えている。変更部材１０は、固定部１１と回転部１６とを組み合わせて構成され、固定部１１と回転部１６とを組み合わせた状態で球状となるように形成されている。そして、回転部１６は、ディスプレイ装置１の背面に沿って回転可能に構成されている。
【００１８】
固定部１１は、球状の固定側とは反対側部分（図１（ａ）において上側部分）を切り取った半球状であり、かつ、その端に開口１１ａを有する凹形状に形成されている。固定部１１の内部には内部空間が形成され、開口１１ａはその内部空間と連通している。回転部１６は、球状の固定側端部（図１（ａ）において下端部）を切り取った形状に形成され、その端に開口１６ａを有する。回転部１６の内部には内部空間が形成され、開口１６ａはその内部空間と連通している。
【００１９】
入力端子１８は、電源、音声信号および映像信号を入力するための端子であり、回転部１６に固定されている。入力端子１８の一端は回転部１６の内部に露出し、入力端子１８の他端は回転部１６の外部に露出している。ディスプレイ装置１から延びるケーブル１９は、固定部１１の固定側端部に形成された穴（図示省略）を介して変更部材１０の内部に導入され、入力端子１８の一端（内部側）に接続されている。
【００２０】
次に、変更部材１０の回転構造について説明する。図１（ａ），（ｂ）に示すように、固定部１１には、ディスプレイ装置１の背面と平行な環状のガイド溝１２が形成されている。回転部１６において、ガイド溝１２に対応する位置に回転部１６の表面から外方に突出する突起１７が形成されている。突起１７の直径は、ガイド溝１２の幅よりも僅かに小さな寸法に形成されているため、突起１７は、ガイド溝１２に挿入されてガイド溝１２に沿って移動可能である。固定部１１の内部空間に回転部１６の固定側部分が収容されるとともに、突起１７がガイド溝１２に挿入されることで、固定部１１と回転部１６が組み合わされる。これにより、回転部１６は、固定部１１の固定側端部の穴と変更部材１０の中心とを通る線を軸として、図１（ｂ）の矢印方向に回転可能である。
【００２１】
ガイド溝１２の一部には、突起１７と当接可能な当接部１３が形成され、回転部１６の回転に伴って突起１７がガイド溝１２に沿って移動するが、突起１７が当接部１３に当接することで、回転部１６が、予め設定された角度である約３６０度（１周）以上回転しないようになっている。これは、入力端子１８を無制限に回転させると、ケーブル２０において、ねじれが発生することで断線などが発生するため、回転部１６の回転が予め最大約３６０度までとなるように設定されている。なお、回転部１６の回転角度を約３６０度よりも小さい角度に設定する場合は、当接部１３を複数設けることで実現可能である。
【００２２】
図２に示すように、ディスプレイ装置１の背面に変更部材１０が配置され、回転部１６の回転に伴って、入力端子１８がディスプレイ装置１の背面に沿って回転し、入力端子１８は、例えば図２において２点鎖線で示す位置に移動する。外部から延びるケーブル２０が、変更部材１０の中心と入力端子１８とを結ぶ線の方向と平行であれば、入力端子１８がいずれの向きまたは位置であっても入力端子１８にケーブル２０を接続することが可能となる。
【００２３】
以上のように、実施の形態１に係るディスプレイ装置１では、ケーブル２０と接続される入力端子１８と、ディスプレイ装置１の背面に配置され、かつ、ディスプレイ装置１の背面に沿って入力端子１８の向きまたは位置を変更可能な変更部材１０とを備えた。
【００２４】
したがって、ケーブル２０に対して最短距離となるように、変更部材１０を用いてディスプレイ装置１の背面に沿って入力端子１８の向きまたは位置を変更することができる。これにより、ディスプレイ装置１、またはディスプレイ装置１を設置する際に用いられる取り付け具の周りにケーブル２０を回り込ませたり、ケーブル２０を折り曲げたりする必要がないため、ケーブル２０および入力端子１８に与えるストレスを低減することができる。また、ディスプレイ装置１または取り付け具の周りにケーブル２０を回り込ませたり、ケーブル２０を折り曲げたりする必要がないため、ディスプレイ装置１の設置作業を容易に行うことが可能となる。
【００２５】
変更部材１０は、ディスプレイ装置１の背面に固定された固定部１１と、入力端子１８が取り付けられかつ固定部１１に対して回転可能に構成された回転部１６とを備えたため、入力端子１８を多方向に向けることができる。このため、障害物がない位置でケーブル２０の挿抜を行うことが可能となる。
【００２６】
固定部１１は、環状のガイド溝１２を備え、回転部１６は、ガイド溝１２に挿入され、かつ、ガイド溝１２に沿って移動可能に形成された突起１７を備え、回転部１６が予め設定された角度以上回転しないように、ガイド溝１２に突起１７と当接可能な当接部１３が形成されたため、回転部１６の回転に伴って入力端子１８が無制限に回転することを防止できる。これにより、ケーブル２０においてねじれなどを要因とする断線を防止できる。
【００２７】
なお、変更部材１０の形状は球状に限定されることなく、環状のガイド溝が形成することが可能であれば、例えば円筒状など他の形状であってもよい。
【００２８】
また、変更部材１０を、ディスプレイ装置１の側面に配置することも可能である。この場合、回転部１６がディスプレイ装置１の側面に沿って回転することで、ディスプレイ装置１の側面に沿って入力端子１８の向きまたは位置を変更することができる。また、変更部材１０を、複数配置してもよい。この場合、ディスプレイ装置１の背面または側面に複数配置してもよいし、ディスプレイ装置１の背面および側面にそれぞれ１つまたは複数配置してもよい。
【００２９】
また、ガイド溝１２に突起１７と当接可能な当接部１３が形成されることとしたが、当接部を突起１７と噛み合う形状としてもよい。
【００３０】
＜実施の形態２＞
次に、実施の形態２に係るディスプレイ装置１Ａについて説明する。図３は、実施の形態２に係るディスプレイ装置１Ａのスライド部３１の周辺の側面図であり、図４は、実施の形態２に係るディスプレイ装置１Ａの背面図であり、図５は、実施の形態２に係るディスプレイ装置１Ａのガイド部３６とスライド部３１を説明するための図である。なお、実施の形態２において、実施の形態１で説明したものと同一の構成要素については同一符号を付して説明は省略する。
【００３１】
実施の形態２においては、実施の形態１の場合と変更部材の構造が異なっている。図４と図５に示すように、変更部材３０は、ディスプレイ装置１Ａの背面に配置され、ガイド部３６と、スライド部３１とを備えている。なお、図５は、図４のガイド部３６の一部分を切り出して示したものである。
【００３２】
ここで、ガイド部３６について説明するが、先にディスプレイ装置１Ａの背面側の構造について簡単に説明してからガイド部３６を説明する。ディスプレイ装置１Ａの背面側は、板部材３７，３８を用いて構成され、板部材３７，３８は、背面側から板部材３７，３８の順に予め設定された隙間をあけて配置されている。ガイド部３６は、ディスプレイ装置１Ａの背面に形成された溝であり、例えばディスプレイ装置１Ａの背面の内周部において略矩形状に形成されている。
【００３３】
図３〜図５に示すように、スライド部３１は、板状に形成され、スライド部３１の表面には端子ボックス３２が固定され、端子ボックス３２には、外部のケーブル２０が接続される１つまたは複数の入力端子３３が配置されている。端子ボックス３２の裏面側には、スライド部３１の裏面に形成された穴（図示省略）を介してケーブル１９が接続されている。なお、図４と図５においては入力端子３３が省略されている。
【００３４】
スライド部３１の厚みは、板部材３７，３８間の距離と略同じ大きさになるように形成され、スライド部３１において端子ボックス３２が配置された部分以外の部分は、板部材３７，３８の隙間においてガイド部３６に沿ってスライドできる程度の圧力で挟み込まれている。また、端子ボックス３２の幅は、ガイド部３６の幅よりも僅かに小さくなるように形成され、スライド部３１を介して端子ボックス３２は、ガイド部３６に沿ってスライド可能となっている。端子ボックス３２がガイド部３６に沿ってスライドすることで、入力端子３３は、例えば図４において２点鎖線で示す位置に移動する。
【００３５】
ここで、端子ボックス３２は、ディスプレイ装置１Ａとはケーブル１９で接続されているが、ケーブル１９の長さが十分に長い場合、端子ボックス３２は、ディスプレイ装置１Ａの背面においていずれの位置にあってもケーブル１９と問題なく接続される。また、ガイド部３６において、例えば矩形状の各辺の端は自由端となっており、各辺の端からスライド部３１および端子ボックス３２がガイド部３６に取り付けられる。
【００３６】
以上のように、実施の形態２に係るディスプレイ装置１Ａでは、変更部材３０は、ディスプレイ装置１Ａの背面に配置されたガイド部３６と、入力端子３３が取り付けられかつガイド部３６に沿ってスライド可能に構成されたスライド部３１とを備えたため、スライド部３１を介して端子ボックス３２をガイド部３６に沿ってスライドさせることで、入力端子３３の向きまたは位置を変更することが可能となる。
【００３７】
なお、変更部材３０を、ディスプレイ装置１Ａの側面に配置することも可能である。この場合、ディスプレイ装置１Ａの側面に沿ってガイド部を設けることで、端子ボックス３２の位置をガイド部に沿って変更することができる。また、変更部材３０を、複数配置してもよい。この場合、ディスプレイ装置１Ａの背面または側面に複数配置してもよいし、ディスプレイ装置１Ａの背面および側面にそれぞれ１つまたは複数配置してもよい。
【００３８】
また、スライド部３１の表面および裏面にヒメロンまたはフエルト材などを貼り合せてもよい。この場合、スライド部３１と板部材３７，３８との間に作用する摩擦力を高めることができるため、スライド後の端子ボックス３２の位置を強力に固定することが可能となる。
【００３９】
なお、本発明は、その発明の範囲内において、各実施の形態を自由に組み合わせたり、各実施の形態を適宜、変形、省略することが可能である。
【符号の説明】
【００４０】
１  ディスプレイ装置、１Ａ  ディスプレイ装置、１０  変更部材、１１  固定部、１２  ガイド溝、１３  当接部、１６  回転部、１７  突起、１８  入力端子、２０  ケーブル、３０  変更部材、３１  スライド部、３３  入力端子、３６  ガイド部。
【図１】
2015004832.tif 000003
【図２】
2015004832.tif 000004
【図３】
2015004832.tif 000005
【図４】
2015004832.tif 000006
【図５】
2015004832.tif 000007
【図６】
2015004832.tif 000008